(57)【要約】      （修正有）【課題】高品質で価格が合理的な３Ｄ連続カラープリンターを提供する。【解決手段】３Ｄ連続カラープリンターは、少なくとも１つのカートリッジ１１、ミキサー１２及び単一のプリントヘッド１３を含み、カートリッジ１１内には造形材料が収容され、ミキサー１２は、カートリッジ１１と接続され、単一のプリントヘッド１３は、ミキサー１２の出口と接続され、カートリッジ１１に収容された造形材料がミキサー１２及び単一のプリントヘッド１３へ搬送されて連続カラーオブジェクトが形成される。【選択図】図１
0003216830.tif 000002
【実用新案登録請求の範囲】
【請求項１】
造形材料が収容される少なくとも１つのカートリッジと、
前記カートリッジに接続されたミキサーと、
前記ミキサーの出口に接続された単一のプリントヘッドと、を含み、
前記造形材料は液体であり、
前記カートリッジに収容された造形材料が前記ミキサー及び前記単一のプリントヘッドへ押出されて流入し、連続カラーオブジェクトが形成されることを特徴とする、
３Ｄ連続カラープリンター。
【請求項２】
前記カートリッジは、シリンジを含むことを特徴とする請求項１に記載の３Ｄ連続カラープリンター。
【請求項３】
チューブとそれぞれ接続されてから前記ミキサーに接続され、前記プリントヘッドへ向かう経路上で異なる色の造形材料が混合される４つのカートリッジを含むことを特徴とする請求項１に記載の３Ｄ連続カラープリンター。
【請求項４】
前記ミキサーに接続された多極コネクタ又は異なる数の開放端を有するコネクタを含むことを特徴とする請求項１に記載の３Ｄ連続カラープリンター。
【請求項５】
異なる色の原料が流入する流量総和は所定の定数であり、流出する色は、異なる色の原料が流入する流量比により決定されることを特徴とする請求項４に記載の３Ｄ連続カラープリンター。
【請求項６】
前記ミキサーは、スタティックミキサー、インラインミキサー及びアクティブミキサーからなる群から選ばれることを特徴とする請求項１に記載の３Ｄ連続カラープリンター。
【請求項７】
前記ミキサーと前記プリントヘッドとの間に位置して色遷移間の間隔を短くする短経路を含み、前記短経路上の原料の混合時間が短いことを特徴とする請求項１に記載の３Ｄ連続カラープリンター。
【請求項８】
前記ミキサーと前記プリントヘッドとの間の経路が大きめであるとき、色遷移の間隔が大きくて混合品質が好ましいことを特徴とする請求項１に記載の３Ｄ連続カラープリンター。
【請求項９】
前記ミキサーは置換え可能であることを特徴とする請求項１に記載の３Ｄ連続カラープリンター。
【請求項１０】
前記プリントヘッドは、原料選択、解析度の必要性又は詰まり要因に応じて置換え可能であることを特徴とする請求項１に記載の３Ｄ連続カラープリンター。
【請求項１１】
前記プリントヘッドは、針、ノズル又はボールペンヘッドを含むことを特徴とする請求項１に記載の３Ｄ連続カラープリンター。
【請求項１２】
前記造形材料は、シリコン、シリコーンゴム、シリコナイズドアクリル系コーキング、ポリウレタン、光硬化性樹脂、固化可能な液体、固化可能な糊からなる群から選ばれる混色可能な液体を有することを特徴とする請求項１に記載の３Ｄ連続カラープリンター。
【請求項１３】
各モジュールに接続されたチューブを含み、各前記チューブは、色遷移間の遅延を少なくする所定の内径を有することを特徴とする請求項１に記載の３Ｄ連続カラープリンター。
【請求項１４】
前記造形材料は、照射、冷却又は乾燥により固化されることを特徴とする請求項１に記載の３Ｄ連続カラープリンター。
【請求項１５】
２種類以上の色を有する造形材料が混合されて所望の色の液体を形成し、前記造形材料は、これに溶ける色素で染色し、かつ、異なる性質を有する粒子、油、水又は物質を添加し、３Ｄ印刷オブジェクトの硬度、強度その他の物理的性質、化学的性質を変えることを特徴とする請求項１に記載の３Ｄ連続カラープリンター。
【請求項１６】
造形材料が収容される少なくとも１つのカートリッジと、
前記カートリッジに接続されたミキサーと、
前記ミキサーの出口に接続された単一のプリントヘッドと、を含み、
前記造形材料は液体であり、
前記カートリッジに収容された造形材料が前記ミキサー及び前記単一のプリントヘッドへ押出されて流入し、連続多材料オブジェクトが形成されることを特徴とする、
３Ｄプリンター。
【考案の詳細な説明】
【技術分野】
【０００１】
本考案は、３Ｄプリンターに関する。
【背景技術】
【０００２】
本出願は、２０１３年１１月１８日出願の米国仮特許出願第６１／９６２８６９号及び２０１４年８月２４日出願の米国仮特許出願第６２／０４１１０５号の優先権を主張する。
【０００３】
ラピッドプロトタイピング（Ｒａｐｉｄ  ｐｒｏｔｏｔｙｐｉｎｇ）及び迅速製造工程（Ｒａｐｉｄ  ｍａｎｕｆａｃｔｕｒｉｎｇ  ｐｒｏｃｅｓｓｅｓ）は、可能な限り手動介入及び金型使用が無い状況下で３Ｄコンピュータ支援設計（Ｃｏｍｐｕｔｅｒ  ａｉｄｅｄ  ｄｅｓｉｇｎ：ＣＡＤ）のデータを直接かつ迅速にワークピースに変換する。大多数のプリンターは、単色プリンターであるが、印刷の潮流に伴い、高品質で価格が合理的なカラー印刷に対する消費者のニーズが高まっている。
【０００４】
従来の３Ｄカラー印刷が直面している課題は使用する造形材料である。一般によく見かける低コスト熱可塑性３Ｄプリンターは、単一の加熱押出機のみ使用して熱溶融のエネルギを提供する。また、多数の熱押出機の３Ｄプリンターもあるが、実際的ではなく、溶融したプラスチックが支持台に接触されると直ちに固化されて冷却される。
このような多数の加熱押出機の３Ｄプリンターは、液滴が大きすぎるため（卓上型インクジェットプリンターと比べてインクの液滴が大きい）、固化した液滴を混合して連続フルカラーオブジェクトを得ることができなかった。一部のカラー３Ｄプリンターは、押出す前に異なる色の材料を混合するが、異なる色の熱可塑性プラスチック（一般によく見かける造形材料）の融点は２００℃を超え、断熱されていない状態下で迅速に冷却されるため、これらを混合することは非常に困難である。
【０００５】
従来のラピッドプロトタイピング工程は、レーザーを使用する行程とレーザーを使用しない工程の２種類に分けられる。そのうちの１種類は、放射線硬化型ポリマーの液体混合物をレーザーにより一層ずつ硬化させるステレオリソグラフィー（Ｓｔｅｒｅｏｌｉｔｈｏｇｒａｐｈｙ：ＳＬＡ）であり、ステレオリソグラフィーにより製作したワークピース上を着色する場合、ワークピースの表面に染色を行うが、これは複雑で多くの時間がかかる。
もう一つの方法は、ステレオリソグラフィーと類似した選択的レーザー焼結法（Ｓｅｌｅｃｔｉｖｅ  ｌａｓｅｒ  ｓｉｎｔｅｒｉｎｇ：ＳＬＳ）であり、これは粉状原料（例えば、熱可塑性プラスチック又は焼結金属）であり、レーザーにより選択的に一層ずつ焼結する。この方法では、単色又は色彩が不特定の３Ｄオブジェクトしか製造できない。３種類目のレーザー製造工程は、ラミネートオブジェクト製造（Ｌａｍｉｎａｔｅｄ  ｏｂｊｅｃｔ  ｍａｎｕｆａｃｔｕｒｉｎｇ：ＬＯＭ）であり、接着剤を有する多層のペーパーウェブ又はプラスチック箔が一緒に接着されてレーザーで切断される。その後の染色実施例は、例えば特許番号ＵＳ６，７１３，１２５号で開示されている。
【０００６】
ＵＶインクジェットプロセスは、従来から知られるカラーオブジェクトを製造する３Ｄ印刷工程である。この三段階の製造工程では、粉状原料がフィルム上に施される。ＵＶ硬化液体は、フィルム上に印刷され、フィルムが積層されて立体生産物に形成され、最終的に印刷されたフィルムをＵＶ光源により硬化し、これらのステップを各層のフィルム毎繰り返す。
【０００７】
ＷＯ２００８／０７７８５０号では、製造工程の上流で多色の液体と硬化剤とをチャンバ内で直接混合するため、選択的な色合いが可能である。しかし、チャンバであるため、鮮明な色遷移は不可能であった。このような製造工程は、硬化過程の制限により、鮮明度が不足し、表面の平滑度が下がり、色合いが不均一となり易かった。
ＷＯ２００１／２６０２３号では、２つの印刷プリントヘッドが異なる色の硬化剤混合物を有し、生産物に異なる弾性を提供するが、色は２種類を超えなかった。
【０００８】
ＷＯ２００９／１３９３９５号の製造工程は、３Ｄインクジェット印刷に類似し、着色された液体を一層ずつ施し、第１の液体と硬化反応する第２の液体がその上に印刷されるが、このような製造工程は、未硬化の液体層間に混合されるか、さもなければ製造される構造は各層の色が異なるだけである。
【０００９】
ＵＳ２００４／０２５１５７４号では、熱可塑性プラスチックを印刷した後、顔料が選択的に印刷される。このような製造工程の長所は、選択性が高いところにあるが、このような製造工程の欠点は、顔料がセラミック粉末とバインダーとの混合物に均一に浸み込まないため、均一な色彩解析度又は鮮やかな発色を得ることはできない点である。
【００１０】
米国特許ＵＳ６４０１００２号では、様々な液体が様々な染料及びバインダーと一緒に使用される。これらの液体は、別々に滴下するか、ノズルの連続線方式により混合してもよい。当業者であれば何れか１種類の方式により理想の色彩解析度を得ることができる。前者において、染料の混合は表面の粘性液体中で行われる。そのため、このような混合は、完全に完成させにくかった。第２の手順において、連続線の圧力差は、色に極端な違いをもたらす。
【００１１】
多くの立体物の印刷工程において、材料上最も経済的で機械設計上好ましいのは熱融解積層法（Ｆｕｓｅｄ  ｄｅｐｏｓｉｔｉｏｎ  ｍｏｄｅｌｉｎｇ：ＦＤＭ）である。それは、押出成形のデジタル製造システムに繋がる。これ以外の既知の製造工程には、これに類似するが僅かに異なるものとして、例えば、ＦＦＦ（Ｆｕｓｅｄ  ｆｉｌａｍｅｎｔ  ｆａｂｒｉｃａｔｉｏｎ）、ＭＥＭ（Ｍｅｌｔｅｄ  ｅｘｔｒｕｓｉｏｎ  ｍａｎｕｆａｃｔｕｒｉｎｇ）、ＳＤＭ（Ｓｅｌｅｃｔｉｖｅ  ｄｅｐｏｓｉｔｉｏｎ  ｍｏｄｅｌｉｎｇ）がある。
熱融解積層法において、２種類の異なるポリマーフィラメントは、ノズル中で溶融されて選択的に印刷される。また、支持原料に繋がる、３Ｄオブジェクトの空中に吊り下げられた位置にのみ必要であり、支持原料は、その後、例えば、酸、アルカリ又は水で溶解されて除去されてもよい。その他の原料（造形材料）により実際の３Ｄオブジェクトを形成する。印刷は一層ずつ完成される。
ＦＤＭ製造工程は、特許ＵＳ５，１２１，３２９号で最初に開示された。
ＵＳ２００２／０１１１７０７号では、一般の冷却として説明されているが、その詳細については説明されていない。
ＵＳ６，１６５，４０６号の３Ｄカラー印刷方法において、各染料は個別のノズルを使用するため、染料を混合することは略不可能であり、得られる色彩効果は非常に単純である。
ＵＳ７，６４８，６６４号のＦＤＭ変化型では、粒状の異なる色の造形材料を使用し、それぞれ溶融されて着色の必要に応じて押出機で混合してから印刷するが、このような方法には複雑な設備が必要である上、ＦＤＭの多くの長所が失われた。
ＵＳ６，１２９，８７２号が開示する製造工程は、造形材料がノズル中で溶融され、ノズルの末端にある多種類の染料の混合物が溶融物中に選択的に加えられるが、混合が不十分となり、綺麗に発色させることはできない。
【００１２】
ＵＳ２０１０／０３２７４７９号で開示する製造工程は、多種類の着色フィラメントが微小型押出機中で結合されて連続的に押出され、新たな着色フィラメントを提供し、新たな着色フィラメントがプリントヘッドに進入して印刷を行う。この方法には、非常に精巧で複雑な装置が必要である。他の実施例において、多種類の色の着色フィラメントは、プリントヘッド中に直接導入されてプリントヘッド中で混合される。
【００１３】
米国特許出願第２０１４０１３４３３４号では、マルチカラーの３Ｄオブジェクトを製造する３Ｄ押出印刷工程が開示される。この製造工程では、実際のオブジェクトを製造するポリマーストランドを塗布し（プリントヘッドの上流）、ポリマーストランドの塗布上流が印刷プリントヘッドの固定に進入し、プリントヘッド中の下流が押出ストランドの表面に主に留まる。
【考案の概要】
【課題を解決するための手段】
【００１４】
３Ｄ連続カラープリンターは、造形材料が収容される少なくとも１つのカートリッジと、前記カートリッジに接続されたミキサーと、前記ミキサーの出口に接続された単一のプリントヘッドと、を含み、前記カートリッジに収容された造形材料が前記ミキサー及び前記単一のプリントヘッドへ搬送されて連続カラーオブジェクトが形成される。
【００１５】
実際の実施例には、以下で述べることが含まれてもよい。好ましくは、４つのカートリッジは、チューブと接続されてから前記ミキサーに接続され、前記プリントヘッドへ向かう経路上で異なる色の造形材料が適切に混合される。前記ミキサーは５ウェイコネクタ（又は異なる数の開放端を有するコネクタ）である。選択的に、スタティックミキサー（例えばインラインミキサー）又はアクティブミキサーは、前記ミキサーの核心部分として用いてもよい。前記コネクタの材料は、封止する液体の種類に応じてプラスチック、金属その他の材料でもよい。コネクタの一端から流出する液体の色は、流入する異なる色の液体の相対流量により決定され、混合液体の色に関わらず、流出する液体の流量はユーザが定義する定数である。即ち、流入する異なる色の原料の流量総和は、ユーザが定義する定数であり、流入する異なる色の原料の流量比は、流出する原料の色を決定する。ミキサーとプリントヘッドモジュールとの間の距離はコントロール可能因子である。距離が短い場合、色遷移の間隔は短めであるが、原料を混合する時間はあまりなかった。反対に、距離が長い場合、色遷移の間隔が長めであり、混合品質は好ましい。各モジュールを接続するチューブの内径が十分に小さいため、色遷移間の遅延をなるべく少なくし、十分に長くしてノズルの動作が制限されることを防ぐ。前記ミキサーは、印刷品質を維持するために使い捨てタイプにしてもよい。
【００１６】
プリントヘッドモジュールは、造形材料を流入し、これを押出して３Ｄオブジェクトを印刷し、プリントヘッドの尖端のサイズは、印刷するオブジェクトの解析度を決定する。プリントヘッドは、針、ノズル又はボールペンヘッドでもよいがこれだけに限定されるわけではない。プリントヘッドは、原料選択、解析度の必要性又は詰まり防止に応じて置換え可能である。一部の実施例では、プリントヘッドは、造形材料を混合することができる。例えば、スタティックミキサーノズルをプリントヘッドとして用い、造形材料を混合して押出すことができる。スタティックミキサーは、負担できるコストの下、溶液を混合することができる上、ノズル先端の内径が大きめ（詰まりの可能性を減らすことができる）と小さめ（印刷の精度を高めることができる）との間で最適化させることができる。
【００１７】
本考案が使用する造形材料は、シリコン、シリコーンゴム、シリコナイズドアクリル系コーキング、ポリウレタン、光硬化性樹脂、固化可能な液体、固化可能な糊などでもよい。固化ステップでは、照射、冷却又は乾燥を選択的に使用する。自然乾燥する原料も可能である。２種類以上の色の原料を使用して混合し、所望の色の液体を形成し、造形材料は、これに溶ける色素で染色を行う。これ以外に、異なる性質の粒子、油、水その他の物質（ここでは補助物質と称する）を添加し、印刷する３Ｄオブジェクトの硬度、強度その他物理的性質、化学的性質を変えてもよい。
【００１８】
さらに、電気ヒーターにより熱量を提供する以外には、造形材料には、添加剤、接着促進剤、又は、マイクロ波、電場又は磁場で加熱されるか活性化される接着剤が含まれる。これらの添加物は、単一の混合物又は全部の混合物に添加されるか、分離フィードコンテナから添加される。最近の案件では、これらの混合物は無色である。例えば、少なくとも１つのシリンジが造形材料に接触されて架橋剤、開始剤又は促進剤を添加し、混合物中のその他の物質の化学反応又は押出しの下流で熱活性化により化学反応（例えば付加反応又は架橋）を行い、製造する３Ｄオブジェクトは、全部又は部分の弾性体又は熱硬化性体の性質を有する。
【考案の効果】
【００１９】
本システムの長所は、以下で述べることを含む。本システムは、連続カラーを有する立体オブジェクトを製造することが可能である。単一のプリントヘッドを使用することによりコストを減らして信頼性を高めるとともに、高品質の演色性を提供する。本システムは、機械的に安定したマルチカラー立体オブジェクトを製造することができる。原料には、如何なる色料及び機能性添加物が含まれてもよい。  
【図面の簡単な説明】
【００２０】
【図１】本考案の３Ｄカラープリンターを示す図である。
【図２】本考案のカートリッジの正面図である。
【図３】本考案の図２のシリンジのピストンを支持するロッドの上面図である。
【図４】図１のシステムを使用する印刷工程を示す図である。
【図５】本考案の３Ｄオブジェクトを形成する３Ｄ移動過程を示す図である。
【図６】本考案の３Ｄカラープリンターの他の実施例である。
【図７】本考案の３Ｄカラープリンターの製造工程図である。
【図８】本考案のカラーオブジェクトの製造の流れ図である。
【考案を実施するための形態】
【００２１】
以下の説明は、硬化性物質を造形材料として使用するカラー３Ｄ印刷装置を提供する好適な実施例である。図１に示すように、カラー３Ｄ印刷システムは、複数の造形材料のカートリッジ１１と、ミキサー１２と、単一の加熱押出機を有する単一のプリントヘッド１３と、を含む。
カートリッジ１１中に収容される硬化性の造形材料がプリントヘッド１３へ搬送され、この過程で十分に混合され、最終的にプリントヘッドの尖端から押出され、押出された造形材料の液滴が固化される。
【００２２】
各カートリッジ１１は造形材料を収容し、複数のカートリッジを用いて異なる性質（例えば、色、硬度又は比重）を有する造形材料の液体を収容する。一実施例において、造形材料は、搬送に都合が良いようにシリンジ内に収容される。収容容器は、チューブ、ボトルその他液体を外方へ都合良く搬送できる液体容器でもよい。好ましくは、４つのカートリッジシステムである。各カートリッジには、赤色（又はマゼンタ）、黄色、青色（又はシアン）及び白色（又はクリア）の造形材料がそれぞれ収容され、白色原料は黒色原料で代替されてＣＭＹＫ表色系（ＣＭＹＫ  ｃｏｌｏｒ  ｓｙｓｔｅｍ）に類似する。しかし、３つのカートリッジシステムその他の数のカートリッジも可能である。
【００２３】
本システムは、単一の押出機のみを使用して溶融に必要な熱量を提供する。単一の押出機が混合液滴を押出して連続フルカラーオブジェクトを形成する。反対に、従来の多数の押出機を有するシステムは液滴が大きすぎて（デスクトップ型インクジェットプリンターのインク液滴より大きい）、溶融したプラスチックが支持台に接触されると冷却されて固化されるため、連続したフルカラーを提供することはできない。
本考案の単一の押出機は、溶融した熱可塑性プラスチック（融点が２００℃より高いため、よく見かける異なる色の造形材料である）を制御することができる。
【００２４】
図２及び図３に示すように、押出過程でシリンジ２１中の造形材料がプランジャで押出されると、シリンジの底部がロッド２２に接触される。ロッド２２は、螺杆２３に接続される。
図３では、さらに詳細が開示され、プッシャ３３が螺杆３２上に固定され、螺杆３２がステッピングモータ（ｓｔｅｐｐｅｒ  ｍｏｔｏｒ）３１により駆動される。図２に示すように、螺杆２３がステッピングモータ２５により回転されると、ロッド２２及びプランジャがガイド２４に沿って移動する。螺杆は小さな角度で回転するため、プランジャは徐々に移動し、造形材料を非常に小さな量で搬送することができる。
【００２５】
４つのカートリッジは、チューブと接続されてからミキサーに接続され、異なる色の造形材料をプリントヘッドモジュール上の経路で十分に混合することができる。このミキサーは５ウェイコネクタ（又は異なる数の開放端を有するコネクタ）である。選択的に、インラインミキサー（ｉｎ−ｌｉｎｅ  ｍｉｘｅｒ）のようなスタティックミキサー（ｓｔａｔｉｃ  ｍｉｘｅｒ）又はアクティブミキサー（ａｃｔｉｖｅ  ｍｉｘｅｒ）は、ミキサーの核心部分として用いてもよい。
コネクタの材料は、収容する液体の種類に応じてプラスチック、金属その他の材料を選択してもよい。コネクタの一端から流出する液体の色は、流入する異なる色の液体の相対流量により決定され、混合液体の色に関わらず、流出する液体の流量はユーザが定義する定数である。即ち、流入する異なる色の原料の流量総和は、ユーザが定義する定数であり、流入する異なる色の原料の流量比は、流出する原料の色を決定する。
ミキサーとプリントヘッドモジュールとの間の距離はコントロール可能因子である。距離が短い場合、色遷移（ｃｏｌｏｒ  ｔｒａｎｓｉｔｉｏｎｓ）の間隔は短めであるが、原料を混合する時間はあまりない。反対に、距離が長い場合、色遷移の間隔が長めであり、混合品質上好ましい。各モジュールを接続するチューブの内径は十分に小さいため、色遷移間の遅延をなるべく少なくし、十分に長くしてノズルの動作が制限されることを防ぐ。ミキサーは、印刷品質を維持するために使い捨てタイプにしてもよい。
【００２６】
プリントヘッドモジュールは、造形材料を収容し、これを押出して立体オブジェクトを印刷する。プリントヘッドの尖端のサイズは、印刷するオブジェクトの解析度を決定する。プリントヘッドは、針、ノズル又はボールペンヘッドでもよいがこれだけに限定されるわけではなく、原料選択、解析度の必要性又は詰まり防止に応じて置換え可能である。
一部の実施例では、プリントヘッドモジュールは、造形材料を混合する能力を有する。例えば、スタティックミキサーノズルを利用すれば、流入した造形材料を混合して押出し、コストを比較的負担できる上、ノズル先端の内径を大きめ（詰まりの可能性を減らすことができる）と小さめ（印刷の精度を高めることができる）との間で最適化させることができる。
【００２７】
使用する造形材料は、シリコン、シリコーンゴム、シリコナイズドアクリル系コーキング、ポリウレタン、光硬化性樹脂、固化可能な液体、固化可能な糊などでもよい。固化ステップは、照射、冷却又は乾燥を選択的に使用する。自然乾燥する物質も可能である。２種類以上の色の原料を使用して混合し、所望の色の液体を形成する。造形材料は、これに溶ける色素で染色を行い、さらに、異なる性質を有する粒子、油、水その他の物質（ここでは補助物質と称する）を添加し、印刷する３Ｄオブジェクトの硬度、強度その他物理的性質、化学的性質を変えてもよい。
【００２８】
温度変化による硬化以外には、造形材料に添加剤、接着促進剤、又は、マイクロ波、電場又は磁場で加熱されるか活性化される接着剤が含まれる。これらの添加物は、単一の混合物又は全部の混合物に添加されるか、分離フィードコンテナから添加される。
最近の案件では、これらの混合物は無色である。例えば、少なくとも１つのシリンジが造形材料に接触されて架橋剤、開始剤又は促進剤を添加し、混合物中のその他の物質の化学反応又は押出しの下流で熱活性化により化学反応（例えば付加反応又は架橋）を行い、製造する３Ｄオブジェクトは、全部又は一部の弾性体又は熱硬化性体の性質を有する。当業者であれば、組成及び使用する造形材料を理解した後、適切な添加物を選択することができる。
【００２９】
図４に示すように、印刷工程は、プリントヘッド４１のプリントヘッド、支持台及びノズルから出力された造形材料に関連する。造形材料（本実施例中では糊状である）がノズルから液滴４４の方式により一滴ずつ出力されて固化が始まる。固化速度が制御され、液滴が支持台又はオブジェクト４３にほとんど接触されて固化されるが、液滴がプリントヘッドから出力されるときは依然として液体に維持され、プリントヘッドに造形材料が詰まることを防ぐ。
【００３０】
その後、表面コーティング又は化学反応を行う。より明確に述べると、マイクロ波、熱、プラズマ、ＵＶ光又は磁場により活性化された添加物をコーティング方式で表面に施し、正確な方式で活性化させる。特定で長所を有する化学反応を、押出した原料の表面に発生させ、特に、架橋反応（ｃｒｏｓｓｌｉｎｋｉｎｇ）を実行するが、架橋反応は前期溶融、付加的な動力又は前述したスタティックミキサーで発生する。つまり溶融した造形材料がプリントヘッド中にあるときである。
【００３１】
他の実施例において、各シリンジ中の添加物は、混合ステップを行った後に化学反応を行って化学架橋を達成して触媒固化し、かつ（又は）、造形材料の接着効果を増進させる。
【００３２】
その他の実施例において、印刷工程の最後には、一種類又は多種類のコーティング成分が生産されたオブジェクトの表面にコーティングされる。
【００３３】
本システムは単独で使用することができ、その他のシステムを結合して一体化する。例えば、手持ち式カラー３Ｄプリンターの実施例中で、ユーザは表面上に、空気中又は溶液中で立体オブジェクトを印刷する。また、本システムは、既に知られた３Ｄプリンターに取り付けてこれをマルチカラー３Ｄプリンターへ変換する。
【００３４】
図５が示す他の実施例では、カートリッジモジュール及びミキサー５１が３Ｄプリンターのフレームワークに固定され、プリントヘッドモジュール５２は移動可能である。支持台５３は、３Ｄプリンターを支持するために用いる。
【００３５】
図６は、３Ｄカラープリンターの別の実施例を提供する。カラー３Ｄプリンターは、機械システム、光源システム及び押出システムを含む。機械システムは、押出ノズル１０５及び支持台１０４の相対位置を正確に定義する。
光源システム１０７は、ポリマーを硬化するために用いる。押出システムはオブジェクトを印刷する。カートリッジ１０６中に収容された硬化可能な造形材料がノズルへ搬送され、途中で十分に混合され、ノズルの尖端から押出される。押出す造形材料の液滴は、輻射照射された後に支持台上で固化される。ノズルが移動するに伴い、液滴が支持台の何れかの箇所に印刷されるため、印刷される原料構造が決定される。機械システムは、３つのモータによりノズル及び支持台の位置を制御する。支持台は、固化するオブジェクトを支持するためだけに提供される。支持台は、金属又はプラスチックにより製造され、かつ、その表面には一部のコーティングを有し、印刷されたオブジェクトとの間の連結が好ましい。
ノズルは、Ｙ軸ベルトに固定される。Ｙ軸ベルトはＹ軸モータにより制御される。Ｙ軸モータが回転する際、ノズルがＹ軸に沿って移動する。Ｙ軸ベルトは、Ｙ軸に沿って螺杆により支持されるためその堅牢性が高まり、Ｙ軸ベルトは回転ホイールに固定される。回転ホイールは、Ｘ軸ベルト上に位置する。このように、Ｘ軸モータによりＹ軸ベルトがＸ軸に沿って移動し、２つのモータにより制御されるベルトシステムの高さが維持固定され、ノズルのＸ、Ｙ軸位置を決定する。支持台のＺ軸位置は、Ｚ軸モータにより操縦され、Ｚ軸モータは、螺杆に同軸接続される。螺杆は支持台に接続され、これによりモータが回転すると、支持台は、螺杆（Ｚ軸）に沿って移動する。機械システム中で使用するモータは、好ましくはステッピングモータ（ｓｔｅｐｐｅｄ  ｍｏｔｏｒ）でもよく、回転する際、増幅が小さめであるため、ノズルの位置が正確に定義される。
【００３６】
上述の例示中では動力がモータ及びベルトにより発生されて伝達されるが、これは歯車システム又は機械アームと置き換えてもよい。また校正装置により部材の位置を正確に決定してもよく、この校正装置は、衝突センサ（ｃｏｌｌｉｓｉｏｎ  ｓｅｎｓｏｒ）、ＩＲセンサ（ＩＲ  ｓｅｎｓｏｒ）、レーベルドトラック（ｌａｂｅｌｅｄ  ｔｒａｃｋｓ）などを含むがこれらだけに限定されるわけではない。衝突センサを例にとると、ノズルがＸ軸とＹ軸との境界に沿ってセンサに衝突するまで移動し、その位置を初期点に定義し、ノズルの座標は、ステッピングモータの回転角度が記録されることにより追跡される。
【００３７】
図６に示すように、実施例で使用する造形材料は、光硬化性樹脂その他照射により固化可能、冷却可能、乾燥可能な液体でもよい。３種類又はそれ以上の色の原料を使用して混合し、所望の色が均一な液体を形成する。原料は、カートリッジに充填される前に、原料に溶融可能な色素が添加されて染色を行う。よく見かける光硬化性物質がポリマーであるとき、色素は油溶性であることが好ましい。
光源システムは、ノズルから押出される造形材料を固化する照射源を含み、固化された液滴が支持台又は下方のオブジェクトに接触される。照射源は、光硬化性樹脂を固化するために用い、可能な選択には、ＵＶ光、可視光及びレーザーが含まれるがこれらだけに限定されるわけではない。光源と印刷オブジェクトとの幾何学的関係には様々なものがあり、例えば、光源は、単に液滴上に集中照射され、上から下方向にかけて支持台全体に照射されるか、下から上方向へかけて支持台に照射され、液体が支持台上で固化される。照射源は、スイッチのオン・オフを制御するか、印刷過程で移動することが可能である。
【００３８】
図６の押出システムは、ミックスノズル及びカートリッジシステムを含む。ノズルは、Ｙ軸ベルト上に固定され、Ｘ−Ｙ平面上で移動することができる。チューブは、ノズルに接続されて造形材料がノズルに流入し、混合されて押出される。好ましくは、スタティックミキサーのノズルにより溶液を混合するコストは負担可能であり、ノズルの内径は好ましくは大きめ（詰まる可能性を下げる）と小さめ（印刷の精度を高める）との間に制御しなければならず、使用するチューブは、色遷移間の遅延を下げるために十分に細くしなければならず、ノズルの移動を妨げないように十分長くなければならない。
【００３９】
カートリッジシステムの詳細に関しては、異なる色の液体を収容する複数のカートリッジを含み、これらのカートリッジは、シリンジ、ボトルその他液体を出力する液体容器でもよい。好ましくは、４つのカートリッジシステムを使用し、各カートリッジには、赤色、黄色、青色及び白色（クリア）の造形材料を有する。この実施例中では、都合良く造形材料を出力するシリンジを使用し、例えば、黒紙又は遮光箱などの遮光オブジェクトによりシリンジが覆われ、硬化させる放射に造形材料が曝されることを防ぐ。
３つのカートリッジは、ソフトチューブを介して複数対１のアダプター（例えば３対１アダプター）に接続され、異なる色の造形材料がノズルの途中で十分に混合されるようにする。アダプターの材料は、プラスチック又は金属でもよく、収容する液体に応じて決定してもよい。アダプターの単開放端の一端から流出される液体の色は、３色が流入する原料の相対流量により決定される。流出する液体の色が如何なるものであっても、単開放端の流量は、ユーザが決定する定数、即ち、３色の原料の流量総和は、ユーザが定義する定数であり、流出する原料の色は、３色の原料の流量比により決定される。
アダプターと押出ノズルとの間の距離はコントロール可能因子である。アダプターとノズルとの距離が短い場合、色遷移の間隔は短めであるが、原料を混合する時間は短い。反対に、距離が長い場合、色遷移の間隔が長めであり、混合品質上好ましい。押出す際、造形材料がシリンジのプランジャにより押動され、プランジャの底部がロッドに固定される。ロッドは、螺杆及び細杆に結合される。一実施例において、ロッドは、細杆を挿通する貫通孔と、螺杆に結合する六角ナットと、を有する。ロッドの材料強度は、細杆が移動するときに折り曲がらないように強度が十分でなければならず、ブッシュは、ロッドがより円滑に移動できるように貫通孔に固定可能に設けられる。螺杆がステッピングモータにより回転されると、ロッド及びプランジャが鉛直方向に移動し、ステッピングモータが非常に小さな角度で回転するため、プランジャが徐々に移動し、造形材料が少量で搬送される。
【００４０】
印刷工程では、プリントヘッドのノズル、支持台及び放射源が使用される。造形材料（好ましくは光硬化性樹脂）は、ノズルから一滴ずつ出力され、放射に曝されると固化が開始され、固化速度が制御されて液滴が支持台又は下方のオブジェクトに接触するとほぼ固化するが、プリントヘッドから出力されるときに原料が液体に維持されて原料が詰まることを防ぐ。
オブジェクトは、一層ずつ印刷される。ノズルは、Ｘ−Ｙ平面上で水平移動してオブジェクトを印刷した後、支持台はＺ軸に沿って一層の厚さの距離で下方へ移動してから（ユーザが定義する要素）、新たなＸ−Ｙ平面上で同じ印刷ステップを行う。
【００４１】
図７は、３Ｄカラー印刷工程を示す例である。図７は、上述した実施例によりカラーオブジェクトを製造する流れ図である。ユーザは、まず、入力を行い、入力のユーザインタフェイスは、コンピュータ上又はスマートフォン上の本考案と通信するソフトウェアインタフェイスでもよいし、携帯型記憶装置（ＳＤカード又はフラッシュドライブ）からデータを読取るインタフェイスでもよい。ユーザエンドからデータを受信した後、電子システムは、カートリッジ及び機械システムを制御し、造形材料をカートリッジからノズルへ搬送し、プリントヘッドが支持台を越えるように移動してオブジェクトを印刷する。光源システムは放射源を含む。放射源は、支持台上の造形材料を硬化させる。
【００４２】
図８は、上述のシステムを利用してカラーオブジェクトを製造する流れ図である。ユーザは、まず、入力を行い、入力のユーザインタフェイスは、コンピュータ、スマートフォン、タブレット型コンピュータその他本考案と通信可能な装置上のソフトウェアインタフェイスでもよいし、携帯型記憶装置（ＳＤカード又はフラッシュドライブ）からデータを読取るインタフェイスでもよい。ユーザエンドからデータを受信した後、電子システムは、カートリッジモジュールを制御し、造形材料をカートリッジモジュールからプリントヘッドモジュールへ搬送し、造形材料は途中で十分に混合される。
【００４３】
本考案の一応用は解剖学の模型印刷である。デジタルファイル（＊．ＳＴＬ、ＣＴ画像その他）を３Ｄプリンターへロードし、解剖学上の模型が構築される。本システムが使用する原料は柔らかくて弾性を有するため、印刷される模型は触感、構造又は画像（例えば、超音波画像）が実際の器官に非常に似ている。印刷された模型は教材、手術シミュレーションその他医学上の応用に利用できる。
【００４４】
本システムの他の応用は、多材料３Ｄプリンターである。各カートリッジは、異なる造形材料を有するため、プリンターは、単一材料又は混合材料のオブジェクトを印刷することができる。器官模型の印刷に用いる場合、多くの部分を有する器官に似た、様々な性質（例えば、密度、色又は硬さ）を有する原料を使用してもよい。
【００４５】
好適な実施例で使用する造形材料は、シリコン、シリコーンゴム、シリコナイズドアクリル系コーキング、ポリウレタン、光硬化性樹脂、固化可能な液体、固化可能な糊などでもよい。ミキサー１２は、適切な温度になるまで加熱され、造形材料は、溶融されて熱可塑性を持たせてからプリントヘッドへ搬送する。
他の実施例において、造形材料は、ＡＢＳ樹脂（Ａｃｒｙｌｏｎｉｔｒｉｌｅ  Ｂｕｔａｄｉｅｎｅ  Ｓｔｙｒｅｎｅ）、ポリカーボネート（ｐｏｌｙｃａｒｂｏｎａｔｅ：ＰＣ）、ポリ（メタ）アクリレート（ｐｏｌｙ（ｍｅｔｈ）ａｃｒｙｌａｔｅ）、ＰＰＳＵ（ｐｏｌｙｐｈｅｎｙｌｅｎｅ  ｓｕｌｆｏｎｅ）、高密度ポリエチレン（ＨＤＰＥ）、ポリエーテルイミド（ｐｏｌｙｅｔｈｅｒｉｍｉｄｅ：ＰＥＩ）、ポリエーテルエーテルケトン（ｐｏｌｙｅｔｈｅｒ  ｅｔｈｅｒ  ｋｅｔｏｎｅ：ＰＥＥＫ）、ポリ乳酸（ｐｏｌｙｌａｃｔｉｃ  ａｃｉｄ：ＰＬＡ）又は上述した何れか２つ以上の混合物を含むか、重量比５０％以上の上述した何れか一つを含む混合物でもよい。メタ（アクリレート）とは、メタクリレート、アクリレート又は両者の混合物を指し、メタクリレートは、例えば、メタクリル酸メチル（ｍｅｔｈｙｌ  ｍｅｔｈａｃｒｙｌａｔｅ）、メタクリル酸エチル（ｅｔｈｙｌ  ｍｅｔｈａｃｒｙｌａｔｅ）などであり、アクリレートは、例えば、アクリル酸エチルヘキシル（ｅｔｈｙｌｈｅｘｙｌ  ａｃｒｙｌａｔｅ）、アクリル酸エチル（ｅｔｈｙｌ  ａｃｒｙｌａｔｅ）などである。第３のノズルが出力するセカンダリで選択的な造形材料に関しては、好ましくはポリメタクリレート又はポリカーボネートである。第１のプリントヘッドから出力される支持原料に関しては、酸、アルカリ又は水に溶けるポリマーでもよい。
【００４６】
他の実施例では、３Ｄ押出プリンターは、プリントヘッド、フィラメントストリーム（ｆｉｌａｍｅｎｔ  ｓｔｒｅａｍ）、コーティングユニット、固定領域、複数の供給容器を有してもよい。プリントヘッドは、造形材料を提供するノズルを有し、フィラメントストリームは、溶融した造形材料をプリントヘッドに提供し、コーティングユニットは、プリントヘッドの上流に位置する。固定領域は、コーティングユニットとプリントヘッドとの間に位置し、供給容器に測定装置が取り付けられ、１種又は多種の添加物を有するコーティング混合物及び顔料を溶融したフィラメントへ提供し、混合ユニットは、ミキサー（溶融器）１２とプリントヘッド１３との間に位置し、溶融した混合物は、プリントヘッドに入力される前に混合される。プリントヘッドは、スタティックミキサー（ｓｔａｔｉｃ  ｍｉｘｅｒ）でもよく、ノズルの低めに位置し、造形材料は染色されない上、透明でない。
【００４７】
供給容器内の色素には、黒色と、黒色以外の色素、原色の染料又は添加物が含まれる。色素は、金属色素又は蛍光色素でもよい。センサを使用してミキサーへ向かう原料の流量を測定し、カラーモニターの情報と印刷制御とを最適化する。
【００４８】
他の実施例において、このシステムは、可動式カートリッジ（例えば、２Ｄカラーインクジェットプリンターに用いるもの）を使用するか、供給管中から液体を汲み取る方式で除去するか、往復ポンプに挟入されたカートリッジに関係する。これらの設計は、置換え可能で、簡単かつ個別に新しい物と交換することができる。
【００４９】
押出３Ｄ印刷に使用する本システムはこのように設計される。各種色つやがＣＡＤプログラムに入力され、提供されるファイルには、座標、製造工程の色情報、原料及び色の配合制御の色情報が含まれる。適切なファイル書式の実例は、ＡＭＦファイル書式（Ａｄｄｉｔｉｖｅ  Ｍａｎｕｆａｃｔｕｒｉｎｇ  Ｆｉｌｅ  Ｆｏｒｍａｔ）（ＡＳＴＭ  Ｆ２９１５−１２）である。各色つやを構築するには、測定装置を調整し、供給容器からシステム中の各原色及び黒色を測定する。
【００５０】
他の実施例では、ＡｕｔｏｄｅｓｋのＳｐａｒｋプラットフォームと共同で作業し、Ｓｐａｒｋプラットフォームはデジタル情報を３Ｄプリンターと流線的に接続し、試行錯誤が無い状況下で想像し、印刷オブジェクトを最適化し、印刷に使用する材料の範囲を広げることができる。
Ｓｐａｒｋソフトウェアプラットフォームのシステムにより、ソフトウェア、ハードウェアと供給器間に相互操作性を持たせ、Ｓｐａｒｋプラットフォームはオープンであるため、ハードウェアの製造者、アプリケーションプログラムの開発者、製品設計者は、それを利用してオブジェクトを製造し、３Ｄ印刷の極限に挑戦することができる。
【００５１】
以上の実施例では好ましい制限条件が提供されたが、当業者であれば、本考案の教示に基づきさらなる制限条件を得ることができる。
【００５２】
本考案の実施例では、データ処理によりパラメータを提供するが、これは単に適切な材料を変形させて各層と連結する一種類の方式のみ表されている。そのため、データ処理という言葉は、
本考案による教示、得た材料の変形、元のオブジェクトのパラメータ修正方法も含むものと解釈する。本考案は、オブジェクトのパラメータの解釈と、オブジェクトを一層ずつ複製して高精度の複製を達成することを教示する。本考案の方法及び装置は、以上開示した多層処理技術を使用して高精度な複製を得ることができる。
【００５３】
そのため、多数の実施例が示されて説明されているが、本考案の主旨と領域を逸脱しない前提下で多くの変更や修正を加えることができることは容易に分かる。
【図１】
0003216830.tif 000003
【図２】
0003216830.tif 000004
【図３】
0003216830.tif 000005
【図４】
0003216830.tif 000006
【図５】
0003216830.tif 000007
【図６】
0003216830.tif 000008
【図７】
0003216830.tif 000009
【図８】
0003216830.tif 000010
【手続補正書】
【提出日】平成30年4月17日(2018.4.17)
【手続補正１】
【補正対象書類名】実用新案登録請求の範囲
【補正対象項目名】全文
【補正方法】変更
【補正の内容】
【実用新案登録請求の範囲】
【請求項１】
造形材料が収容される少なくとも１つのカートリッジと、
前記カートリッジに接続されたミキサーと、
前記ミキサーの出口に接続された単一のプリントヘッドと、を含み、
前記造形材料は液体であり、
前記カートリッジに収容された造形材料が前記ミキサー及び前記単一のプリントヘッドへ押出されて流入し、連続カラーオブジェクトが形成されることを特徴とする、
３Ｄ連続カラープリンター。
【請求項２】
前記カートリッジは、シリンジを含むことを特徴とする請求項１に記載の３Ｄ連続カラープリンター。
【請求項３】
チューブとそれぞれ接続されてから前記ミキサーに接続され、前記プリントヘッドへ向かう経路上で異なる色の造形材料が混合される４つのカートリッジを含むことを特徴とする請求項１に記載の３Ｄ連続カラープリンター。
【請求項４】
前記ミキサーに接続された多極コネクタ又は異なる数の開放端を有するコネクタを含むことを特徴とする請求項１に記載の３Ｄ連続カラープリンター。
【請求項５】
異なる色の原料が流入する流量総和は所定の定数であり、流出する色は、異なる色の原料が流入する流量比により決定されることを特徴とする請求項４に記載の３Ｄ連続カラープリンター。
【請求項６】
前記ミキサーは、スタティックミキサー、インラインミキサー及びアクティブミキサーからなる群から選ばれることを特徴とする請求項１に記載の３Ｄ連続カラープリンター。
【請求項７】
前記ミキサーと前記プリントヘッドとの間に位置して色遷移間の間隔を短くする短経路を含み、前記短経路上の原料の混合時間が短いことを特徴とする請求項１に記載の３Ｄ連続カラープリンター。
【請求項８】
前記ミキサーと前記プリントヘッドとの間の経路が長いほど、色遷移の間隔が長くなることを特徴とする請求項１に記載の３Ｄ連続カラープリンター。
【請求項９】
前記ミキサーは置換え可能であることを特徴とする請求項１に記載の３Ｄ連続カラープリンター。
【請求項１０】
前記プリントヘッドは、原料選択、解析度の必要性又は詰まり要因に応じて置換え可能であることを特徴とする請求項１に記載の３Ｄ連続カラープリンター。
【請求項１１】
前記プリントヘッドは、針、ノズル又はボールペンヘッドを含むことを特徴とする請求項１に記載の３Ｄ連続カラープリンター。
【請求項１２】
前記造形材料は、シリコン、シリコーンゴム、シリコナイズドアクリル系コーキング、ポリウレタン、光硬化性樹脂、固化可能な液体、固化可能な糊からなる群から選ばれる混色可能な液体を有することを特徴とする請求項１に記載の３Ｄ連続カラープリンター。
【請求項１３】
前記カートリッジと前記ミキサー、及び前記ミキサーと前記プリントヘッドを接続するチューブを含み、各前記チューブは、色遷移間の遅延を少なくする所定の内径を有することを特徴とする請求項１に記載の３Ｄ連続カラープリンター。
【請求項１４】
前記造形材料は、照射、冷却又は乾燥により固化されることを特徴とする請求項１に記載の３Ｄ連続カラープリンター。
【請求項１５】
２種類以上の色を有する造形材料が混合されて所望の色の液体を形成し、前記造形材料は、これに溶ける色素で染色し、かつ、異なる性質を有する粒子、油、水又は物質を添加し、３Ｄ印刷オブジェクトの硬度、強度その他の物理的性質、化学的性質を変えることを特徴とする請求項１に記載の３Ｄ連続カラープリンター。
【請求項１６】
造形材料が収容される少なくとも１つのカートリッジと、
前記カートリッジに接続されたミキサーと、
前記ミキサーの出口に接続された単一のプリントヘッドと、を含み、
前記造形材料は液体であり、
前記カートリッジに収容された造形材料が前記ミキサー及び前記単一のプリントヘッドへ押出されて流入し、連続多材料オブジェクトが形成されることを特徴とする、
３Ｄプリンター。